(57)【要約】      （修正有）【課題】一般的な建造物の室内や店舗・展示ブース等に設置する陳列台等の各種の内壁において、磁石付きの製品を磁気吸着させることができ、触感や装飾性等の居住性を満足させ得ると共に、簡単に設置することができる内壁パネルを提供する。【解決手段】内壁パネル１の木枠２の表面に木製の表面板３を貼着し、その表面板３上に同一表面形状の強磁性体製金属板４を積層して貼着した状態で、その強磁性体製金属板４の表面並びに木枠２の側面全周を覆うシート状の表面部材５を貼着したことを特徴とする。なお、強磁性体製金属板４には、円形穴４ａを多数形成してもよく、その穴は内壁パネル１の下端面と平行になるように配置すると共に表面部材５から目視で判る認識跡４ａ’が出るようにすることもできる。【選択図】図２
0003151596.tif 000002
【実用新案登録請求の範囲】
【請求項１】
木枠の表面に木製の表面板を貼着し、該表面板上に同一表面形状の強磁性体製金属板を積層して貼着した状態で、該強磁性体製金属板の表面並びに上記木枠の側面全周を覆うシート状の表面部材を貼着したことを特徴とする内壁パネル。
【請求項２】
強磁性体製金属板には、多数の穴部が打ち抜いて形成されていることを特徴とする請求項１に記載の内壁パネル。
【請求項３】
木枠は少なくとも下端が平坦面となっており、そこに貼着されている強磁性体製金属板に設けられる多数の穴部は、該強磁性体製金属板の下端面と平行する位置に複数列形成されており、且つ、表面部材はそれらの穴部の配置状態が目視できる素材で構成されることを特徴とする請求項２に記載の内壁パネル。
【請求項４】
強磁性体製金属板は、ガルバリウム鋼板製であることを特徴とする請求項１から３のいずれかに記載の内壁パネル。
【請求項５】
強磁性体製金属板は、金属繊維を編みこんだ金網状のものであることを特徴とする請求項１の内壁パネル
【考案の詳細な説明】
【技術分野】
【０００１】
本考案は、一戸建て住宅やマンション・ビル等の各種建築物における室内や、店舗・展示ブース等に設置する陳列台等の各種の内壁に使用する部材、詳しくは、磁石部材を磁気吸着可能とする内壁パネルに関するものである。
【背景技術】
【０００２】
一般の建築物の室内は、居住性や安全性が重要視されており、内壁材としては、石膏ボードや合板の壁下地に各種の表装材を貼着したクロス製のもの、和室等に用いられる土壁や石膏ボード等の壁下地に壁材料を塗った左官壁、各種の化粧合板や無垢材からなる板壁等に代表されるような、磁石が磁気吸着しない非磁性材料のものが多く用いられている。
【０００３】
一方で、磁石を磁気吸着できる内壁も従来から知られており、建築物という大きな観点から言えば、工場や簡易プレハブ住宅のように内壁材自体が強磁性体になっているものはよく知られているところであり、一般の建築物用としても、例えば特許文献1には、内壁に平面形状の強磁性体を直接埋没し、その表面を紙、木板、クロス等で被覆した構成でなる書類固定用壁が公知となっている。
【０００４】
なお、磁石を磁気吸着できる内壁については、磁石製のメモホルダーのように単に書類を壁面に取り付けるための小型製品の取り付け用に留まらず、出願人が先に出願した特願２００８−３１７０９５号に開示された磁気吸着型の本立てのように、従来よりも大型化した製品の取り付けも行えるようにして、室内空間を有効的に使う目的としての用途も拡大して行くものと予想される背景もある。
【先行技術文献】
【特許文献】
【０００５】
【特許文献１】実開平３−１０５５２１号
【考案の概要】
【考案が解決しようとする課題】
【０００６】
しかしながら、前述した工場や簡易プレハブ住宅における強磁性体性の壁は、その材料がほぼ直接的な状態で露出されているため、手で触れた時の感触や装飾性の点で居住性での満足感を得ることはできず、また、特許文献1に開示された技術においては、壁自体に強磁性体の板を直接埋没させるため、大掛かりな施工工事が必要となる不都合を有するものとなっていた。
【０００７】
そこで、本考案は、これらの従来技術の不都合を解消すべく、一般的な建造物の室内や店舗・展示ブース等に設置する陳列台等の各種の内壁において、磁石付きの製品を磁気吸着できると共に触感や装飾性等の居住性を満足させることができ、さらに、簡単に設置することもできる内壁パネルを提供することを課題とする。
【課題を解決するための手段】
【０００８】
上記の課題を解決させるために、本考案は室内の内壁用として、木枠の表面に木製の表面板を貼着し、その表面板上に同一表面形状の強磁性体製金属板を積層して貼着した状態で、その強磁性体製金属板の表面並びに木枠の側面全周を覆うシート状の表面部材を貼着した構成の内壁パネルを使用する。
【０００９】
この構成によれば、パネルの基材が木製となっていると共に、パネルの表面もシート状の表面部材で覆われているため、手で触れた感触がよくて装飾性にも優れたものに仕上げることができため、居住性を満足させることができる。
また、パネル状の形態となっているので、扱い易く内壁の施工作業を簡単に行うことができる。
【００１０】
なお、強磁性体製金属板は、多数の穴部が打ち抜いて形成されている形態のものを使用することができる。
【００１１】
こうすることにより、内壁用パネルを軽量化させることができるので、設置作業が行いやすくなる。
また、強磁性体製金属板の穴部には下層の木製の表面板が露出しているため、この穴部を利用すれば、強磁性体性の金属板に干渉させること無く、従来の壁と同様に各種器材を釘等で簡単に取り付けることができる。
【００１２】
なお、その場合においては、木枠は少なくとも下端が平坦面となっており、そこに貼着されている強磁性体製金属板に設けられる多数の穴部は、その強磁性体製金属板の下端面と平行する位置に複数列形成されており、且つ、表面部材はそれらの穴部の配置状態が目視できる素材で構成するようにしてもよい。
【００１３】
このように構成すると、内壁パネルを室内の床面に直接或いは床面に並行な仲介部材上に載置した際、表面部材には床面と平行な状態に複数の穴部の列が見えているため、通常の壁面では設定することが困難な、床面との平行状態を確保するためのレベリング作業が自動的にできることになり、ここに棚等の各種器材を室内の床面あるいはそれと平行となっている天井面に対して、平行な状態に簡単に取り付けることができることになる。
【００１４】
なお、強磁性体製金属板は、ガルバリウム鋼板製とすると、耐食性に優れた内壁パネルとすることができる。
【００１５】
また、強磁性体製金属板は、金属繊維を編みこんだ金網状のものとしてもよい。
この形態とすると、多数の小穴状の間隙部分ができるため、釘等の打ち込みは略希望の位置で行うことが可能となり、各種器材を内壁パネルの希望の位置に簡単に取り付けることができる利点がある。
【考案の効果】
【００１６】
本考案によれば、磁石を組み込んだ各種器材を磁気吸着することができ、しかも触感や装飾性等の居住性が優れた内壁パネルを簡単に作製できる。
また、内壁パネルは、文字通りパネル状の形態であるため、比較的軽量で取扱いがし易く、一般的な建造物の室内の内壁に沿って簡単に設置することができ、店舗・展示ブース等に設置する陳列台用に使用する場合においても、上下の器材に対して簡単に組み込むことができる。
【図面の簡単な説明】
【００１７】
【図１】本考案の実施例１の分解斜視図を示す。
【図２】本考案の実施例１の部分拡大切断斜視図を示す。
【図３】本考案の実施例１の部分拡大断面図を示す。
【図４】本考案の実施例１の斜視図を表わしたものであり、（ａ）は正面視、（ｂ）は背面視状態を示す。
【図５】本考案の実施例１の強磁性体金属板に形成される穴部形状を表わしたものであり（ａ）は円形、（ｂ）は方形、（ｃ）は水平の細長穴形状を示す。
【図６】本考案の実施例1の変形例に使用する金網を表わしたものであり、（ａ)は正面図、（ｂ）は部分拡大図を示す。
【図７】本考案の実施例２を表わしたものであり、（ａ）は分解斜視図、（ｂ）は斜視図を示す。
【図８】本考案の実施例２を使った陳列装置の斜視図を示す。
【図９】本考案に使用することができる磁気吸着型の本立てを表わしたものであり、（ａ）は分解斜視図、（ｂ）完成状態の斜視図を示す。
【図１０】本考案に使用することができる磁気吸着型のコーナー棚を表わしたものであり、（ａ）は分解斜視図、（ｂ）完成状態の斜視図を示す。
【図１１】本考案に使用することができる磁気吸着型の棚を表わしたものであり、（ａ）は分解斜視図、（ｂ）完成状態の斜視図を示す。
【図１２】本考案に使用することができる磁気吸着型の額縁を表わしたものであり、（ａ）は正面から見た斜視図、（ｂ）は背面から見た斜視図を示す。
【図１３】本考案に使用することができる磁気吸着型の小棚を表わしたものであり、（ａ）は斜視図、（ｂ）は上下方向に１８０度回転させた状態の斜視図を示す。
【図１４】本考案の実施例２を使った陳列装置に、各種の磁石を内蔵した製品を取り付けた状態の斜視図を示す。
【図１５】本考案の実施例２を使った陳列装置に、各種の磁石を内蔵した製品を取り付ける場合の変形例の斜視図を示す。
【図１６】本考案の実施例３を表わしたものであり、（ａ）は施工手順を示す分解斜視図、（ｂ）は施工完了状態の斜視図を示す。
【図１７】本考案の実施例３に、磁石を使用しない製品を取り付ける場合の変形例の斜視図を表わしたものであり、（ａ）は施工手順方法を示す斜視図、（ｂ）は施工完了状態の斜視図を示す。
【考案を実施するための形態】
【００１８】
本考案は、木枠の表面に木製の表面板を貼着し、その表面板上に同一表面形状の強磁性体製金属板を積層して貼着した状態で、該強磁性体製金属板の表面並びに上記木枠の側面全周をシート状の表面部材を覆って貼着した内壁パネルであり、以下、その施工を行う実施例も加えて詳細に説明する。
【実施例１】
【００１９】
図１は、本考案の実施例１である内壁パネルを分解した斜視図を表わしたものであり、そこに示されるように、本考案の内壁パネル１は、木枠２、表面板３、強磁性体製金属板４、表面部材５を積層する形態で構成されている。
なお、内壁パネルの大きさは、用途により各種のサイズに仕上げられるが、代表的なサイズである幅９００ｍｍ、長さ１８００ｍｍ、厚さ４３ｍｍのものを用いて説明するものとする。
【００２０】
そのうち、木枠１は、１辺３０ｍｍの正方形の木製の角材を用い、長桟木２ａ，２ａ、短桟木２ｂ、２ｂで外郭を形成し、その補強用として中桟木２ｃ、２ｃを内部に取り付けている。
また、表面板２は厚さ１２ｍｍ程度の合板を含む木製のものを使用し、木枠１の表面に接着材を用いて貼着されている。
【００２１】
強磁性体製金属板４は、磁石部材及びそれを用いた製品を磁気吸着できるように用いるものであり、長期使用が想定されるので耐食性に優れるものが好ましい態様となる。
本実施においては、耐食性が優れたガルバリウム鋼板製で厚さが０．１〜０．２７ｍｍのものを使用している。
但し、これ以外の材料や表面処理で、板厚も異なっているものであっても、強磁性体製金属板であって目的を達する仕様であれば、これに限ることはない。
【００２２】
なお、この強磁性体製金属板４には、必ずしも必要ではないが、図１に示されるような、多数のパンチング穴を設けるのが好ましい。
【００２３】
即ち、これらの穴は、強磁性体製金属板４を軽量化させることができ、後述する内壁パネル１の作製作業や、内壁パネル１の施工作業を行いやすくする効果がある。
また、後述するように、本発明の内壁パネル１には、磁気吸着できない物品を釘等を使用して取り付けることもできるが、その際、これらの穴を使えば、強磁性体製金属板に干渉することなく行うことができるので、強磁性体製金属板４を貫通させる大きな取り付け力は不要で、強磁性体製金属板を変形させる不都合も生じない利点がある。
【００２４】
具体的な形状としては、図５（ａ）の円形穴４ａ、（ｂ）の方形の穴４ｂ、（ｃ）の水平の細長穴形状４ｃ、等任意の形状を採用することができる。
また、その穴の大きさも、本実施例においては判り易いように比較的大きく表現しているが、例えば、穴径をφ４ｍｍ、開口ピッチを１２ｍｍとするような小穴の形態で実施してよいことは言うまでもない。
【００２５】
なお、穴の配置位置については、図５（ａ）、（ｂ）、（ｃ）に表わされるように、一列における複数の穴が下端面４ｅに対して平行な状態で形成されていて、この状態で複数列形成するのが好ましい。
なお、図５（ａ）、（ｂ）、（ｃ）に示された各穴形状においては、それぞれ同一穴形状であるので、各穴の上端、中心、下端、共に同一線上に揃うが、異なる穴形状を混在させる場合においては、穴の上端、中心、下端のいずれかを同一線上にそろえるように形成しておけばよい。
このように形成しておくと、内壁パネル１に仕上がった際に、後述するように、これらの穴が表面部材５を介して、透けて見える、或いは陥没状態で認識できる等の条件で認識できると、内壁パネル１には、下端面４ｅと平行なライン４ｄが複数列表示されているのと同様な価値が生じることになる。
即ち、通常の壁では、この面に対して床面と平行な状態で各種製品を取り付けるには、レベルゲージを使用するなど大変な調整作業が必要になるが、そのようなゲージを使用することなく、直接的な目視状態でのレベリングを簡単に行うことができるという作用効果がもたらされる。
【００２６】
なお、強磁性体製金属板は、１枚ものに限る必要は無く、図６（ａ）の正面図、（ｂ）の部分拡大図に表わされる変形例のように、金網４ｆを使用しても良い。
この場合には、多数の小穴４ｆａが形成さているので、製品を釘を打ち付けて固定する場合に、釘先は近傍の小穴に自動的に誘導されるので製品位置を調整しなくても簡単に打ち込むことができる利点がある。
【００２７】
表面部材５は、内壁パネルを、居住性が生ずるように設けられるものであり、手で触れる感触や、装飾性に優れたものが使用される。
具体的には、厚さが０．５ｍｍ程度の、各種の布や各種の樹脂製のレザーシート等、適宜の材料を用いることができる。
【００２８】
以上の部材で構成される内壁パネル１を作製するには、図１の分解斜視図に示される矢印のように、木枠２の上面に、表面板３、強磁性体製金属板４、を順に接着剤を介して積層していく。
ついで、強磁性体製金属板４上に表面部材５で覆い、更に想像線で示す折り返しライン５ａで、木枠２の側面に沿って折り返した状態で接着剤にて貼着すると、図２の部分拡大切断斜視図、図３の部分拡大図に示されるように、各部材は接着剤にて固定され、図４（ａ）の正面から見た斜視図、（ｂ）の背面から見た斜視図のように完成される。
【００２９】
なお、このとき表面部材５が、透明材料、半透明材料、布材料を用いたり、薄い材料を用いたりすると、図４（ａ）や図２に破線で示すように、透視や陥没等による認識跡４ａ’が目視できるようになり、前述したように、これを利用すると内壁パネル１に各種製品を床面に対して平行状態で簡単に取り付けることができる。
【実施例２】
【００３０】
実施例２は、前述した実施例１の内壁パネル１を使った店舗内や展示ブース等に用いられる陳列台を表わしたものである。
即ち、図７（ａ）の分解斜視図に表わされるように、この陳列台１０は、２枚の内壁パネル１，１、金属板・金属製丸パイプ・金属製角パイプを加工し溶接して仕上げたパネル台１１、合板製の上板１２、合板製の載置板１３で構成されており、内壁パネル１，１は側面同士を接着した状態で下方をパネル台１１の上面後方に形成された受け部１４に取り付けられ、上方には上板１２が取り付けられる。
そして、パネル台１１の上面の前方に載置台を取り付けると、図７（ｂ）の斜視図のように、陳列台１０が完成する。
【００３１】
図８は、前述した陳列台１０を２台使い、左右に直角状に対向させると共に、その間に形成される間隙部に、コーナーパネル１５を嵌入して形成される陳列装置１６を表わしたものであり、ここに各種の製品を陳列することができる。
なお、陳列する製品は、任意のものとなるが、本実施例においては、内壁パネル１，１，１，１に磁気吸着して陳列する製品についてのみ説明するものとする。
【００３２】
陳列できる製品の１つとして、出願人が既に出願しているところの、特願２００８−３１７０９５に開示している磁気吸着型の本立てがある。
この構成は、概略、図９（ａ）の分解斜視図、（ｂ）の組立て状態の斜視図に示すように、磁気吸着型の本立て２０は、背面上部に磁石２１を、背面下部に滑り止め部材２２又は磁石２１を取り付けた側板２３，２３と底板２４とで構成され、側板２３，２３に設けられた底板嵌合溝２５，２５に底板２４を挿入して本立てとしての骨格を構築し、この状態で側板２３，２３の背面を強磁性体の壁面に磁気吸着させることにより、本立てとしての完成並びに壁面への取り付けを同時に行うものとなっている。
【００３３】
次に図１０で表わす製品は、磁気吸着型のコーナー棚３０であり、図１０（ａ）の分解斜視図、（ｂ）の組立て状態の斜視図に示すように、略９０度に開いた扇型形状の底板３４と、そこに形成される２辺の側面に挿入して使用するところの、前述した磁気吸着型の本立て２０の側板２３と同構成でなる取り付け部材３３，３３，３３，３３とからなっている。
なお、この構成においては、簡単な構成でありながら、設置がしにくいコーナー部へコーナー棚を確実に取り付けることができる利点がある。
【００３４】
図１１は、磁気吸着型の棚４０を表わしたものであり、図１１（ａ）の分解斜視図、（ｂ）の組立て状態の斜視図に示すように、略Ｌ字型の本体４２と底板嵌合溝４５を形成するように形成された底板押さえ片４６を備え背面に磁石４１を貼着した取り付け部材４３，４３と、底板４４とで構成されている。
尚、底板４４の嵌合強度を向上させるため、底板４４の後方には立ち上がり部４４ａが形成されており、取り付け部材４３，４３は、底板４４の側面方向から挿入して取り付ける構成となっている。
但し、高強度を必要としない場合は、立ち上がり部４４ａを形成しない構成で実施することも可能である。
【００３５】
図１２は、磁気吸着型の額縁５０を表わしたものであり、図１２（ａ）の正面から見た斜視図、（ｂ）の背面から見た斜視図に示すように、取り付け用の物品は用いずに、額縁５０の背面に磁気吸着力の強いネオジ磁石のような小型の磁石５１が４箇所、直接的に取り付けられた構成となっている。
【００３６】
その他の製品の構成として、図１３（ａ）に表わした磁気吸着型の小棚６０のように、断面Ｌ字型の本体６２の背面にシート状の磁石６１を取り付けた簡単な構成で実施することも無論可能である。
なお、図１３（ｂ）は図１３（ａ）の状態から上下方向に１８０度回転させた状態を表わしたものであり、このような状態でも使用は可能である。
【００３７】
図１４は、図８で表わした陳列装置１６に、上述した磁気吸着型の本立て２０、磁気吸着型のコーナー棚３０、磁気吸着型の棚４０、磁気吸着型の額縁５０、磁気吸着型の小棚６０を磁気吸着で取り付けた状態を示したものである。なお、磁気吸着型の本立て２０に想像線で表わされているのは、そこに収納された複数の書籍を示している。
また、陳列装置１６内の右上に表わすように、従来通り、掲示物７０を磁石内装のメモ押え７１，７１，７１，７１で磁気吸着にて固定することも当然に可能である。
このように、陳列装置１６には、各種の製品を磁気吸着で取り付けることができる。
【００３８】
なお、図１５に表わすように、陳列装置１６に各種製品を磁気吸着で取り付ける場合においては、前述したように、内壁パネル１に、強磁性体製金属板の下端面に平行状態に形成された多数の穴の認識跡４ｂ’、４ｂ’．．．が目視できるようにしておくと、この認識跡に対して、磁気吸着型の本立て２０や磁気吸着型の小棚６０の水平面が平行となるように取り付けるだけで、床面に対して平行に取り付ける作業を、レベルゲージ等を使用することなく簡単に行うことができるので、このような構成で実施することも好ましい態様となる。
【実施例３】
【００３９】
実施例３は、内壁パネルを、既存の建築物の内壁に対して取り付ける施工例を示したものである。
尚、内壁パネルは、その表面自体が内壁の一部を形成するので、基本的には既存の壁面に対して隙間が生じないように貼着していけばよいことになる。
【００４０】
即ち、図１６（ａ）の施工手順を示す分解斜視図のように、建築物の内壁Ｗに対して沿わせることのできる規定のサイズの内壁パネル１を複数準備し、それらと内壁Ｗ間にできる隙間に装着する調整パネルＺを複数準備して置く。
なお、この調整パネルＺは、内壁パネルと同仕様で小型化したものでもよいし、適宜の仕様で作製したものでもよい。
本実施例においては、内壁パネル１が３枚と調整パネルＺが３枚とで、内壁Ｗの表面を隙間無く覆う形態になっており、図６（ａ）においては、既に内装パネル１，１及び調整パネルＺ，Ｚが内壁Ｗに接着剤等で貼着された状態にある。
この状態から、内装パネル１及び調整パネルＺを内壁Ｗに貼着すれば、図６（ｂ）の施工完了状態の斜視図のように、施工が完了する。
【００４１】
なお、建築物の内壁には、エアコンのような磁気吸着作用のない各種製品が、釘、木ねじ等によって取り付けられることが多い。
その際においても、図１７（ａ）の変形例の斜視図に示すように、前述したとおり、壁面パネル１に、強磁性体製金属板の下端面に平行状態に形成された多数の穴の認識跡４ｂ’、４ｂ’．．．が目視できるようにしておくのが好ましい。
このような構成にしておくと、これらの穴位置に対して、図に示すエアコンＹ等の製品の水平面が平行となるようにして、図示しない釘や木ねじ等にて取り付けるだけで、床面に対して平行に取り付ける作業を、レベルゲージ等を使用することなく簡単に行うことができる。（図１７（ｂ）施工完了状態の斜視図参照。）
また、この時、釘や木ねじ等は、認識跡４ｂ’内に打ち込むことができ、このようにすれば、強磁性体製金属板に直接打ち込むときの不都合である、大きな操作力や変形の発生を防ぐことができて好適である。
【産業上の利用可能性】
【００４２】
本考案による内壁パネルには、マグネットを使用した各種の製品を簡単に磁気吸着できるので、室内の空間を有効利用する手段として大いに期待がもてる。
また、陳列台のパネル等の各種の展示用に応用することも可能である。
また、パネル状に仕上がっているため施工が簡単であり、一般住宅の室内の内壁はもとより、マンション、ビル等の各種建築物の部屋の内壁に対して簡単に取りつけることができるため、施工の観点からも利便性が高いものとなっている。
【符号の説明】
【００４３】
Ｗ  内壁
Ｂ  複数の書籍
Ｚ  調整パネル
Ｙ  エアコン
１  内壁パネル
２  木枠
２ａ  長桟木
２ｂ  短桟木
２ｃ  中桟木
３  表面板
４  強磁性体製金属板
４ａ  円形穴
４ａ’、４ｂ’  認識跡
４ｂ  短方形の穴
４ｃ  中水平の細長穴
４ｄ  平行なライン
４ｅ  下端面４ｅ
４ｆ  金網
４ｆa  小穴
５  表面部材
５ａ  折り返しライン
１０  陳列台
１１  パネル台
１２  上板
１３  載置板
１４  受け部
１５  コーナーパネル
１６  陳列装置
２０  磁気吸着型の本立て
２１、３１、４１、５１、６１、７１  磁石
２２  滑り止め部材
２３  側板
２４、３４、４４、  底板
２５、４５  底板嵌合溝
３０  磁気吸着型のコーナー棚
３３  取り付け部材
４０  磁気吸着型の棚
４２  本体
４３  取り付け部材
４４ａ  立ち上がり部
４６  底板押さえ片
５０  額縁
６０  小棚
６２  本体
７０  掲示物
７１  メモ押え
【図１】
0003151596.tif 000003
【図２】
0003151596.tif 000004
【図３】
0003151596.tif 000005
【図４】
0003151596.tif 000006
【図５】
0003151596.tif 000007
【図６】
0003151596.tif 000008
【図７】
0003151596.tif 000009
【図８】
0003151596.tif 000010
【図９】
0003151596.tif 000011
【図１０】
0003151596.tif 000012
【図１１】
0003151596.tif 000013
【図１２】
0003151596.tif 000014
【図１３】
0003151596.tif 000015
【図１４】
0003151596.tif 000016
【図１５】
0003151596.tif 000017
【図１６】
0003151596.tif 000018
【図１７】
0003151596.tif 000019
【手続補正書】
【提出日】平成21年4月16日(2009.4.16)
【手続補正１】
【補正対象書類名】実用新案登録請求の範囲
【補正対象項目名】全文
【補正方法】変更
【補正の内容】
【実用新案登録請求の範囲】
【請求項１】
木枠の表面に木製の表面板を貼着し、該表面板上に同一表面形状の強磁性体製金属板を積層して貼着した状態で、該強磁性体製金属板の表面並びに上記木枠の側面全周を覆うシート状の表面部材を貼着したことを特徴とする内壁パネル。
【請求項２】
強磁性体製金属板には、多数の穴部が打ち抜いて形成されていることを特徴とする請求項１に記載の内壁パネル。
【請求項３】
木枠は少なくとも下端が平坦面となっており、そこに貼着されている強磁性体製金属板に設けられる多数の穴部は、該強磁性体製金属板の下端面と平行する位置に複数列形成されており、且つ、表面部材はそれらの穴部の配置状態が目視できる素材で構成されることを特徴とする請求項２に記載の内壁パネル。
【請求項４】
強磁性体製金属板は、ガルバリウム鋼板（登録商標）製であることを特徴とする請求項１から３のいずれか１項に記載の内壁パネル。
【請求項５】
強磁性体製金属板は、金属繊維を編みこんだ金網状のものであることを特徴とする請求項１の内壁パネル
【手続補正２】
【補正対象書類名】明細書
【補正対象項目名】００１４
【補正方法】変更
【補正の内容】
【００１４】
なお、強磁性体製金属板は、ガルバリウム鋼板（登録商標）製とすると、耐食性に優れた内壁パネルとすることができる。
【手続補正３】
【補正対象書類名】明細書
【補正対象項目名】００２１
【補正方法】変更
【補正の内容】
【００２１】
強磁性体製金属板４は、磁石部材及びそれを用いた製品を磁気吸着できるように用いるものであり、長期使用が想定されるので耐食性に優れるものが好ましい態様となる。
本実施においては、耐食性が優れたガルバリウム鋼板（登録商標）製で厚さが０．１〜０．２７ｍｍのものを使用している。
但し、これ以外の材料や表面処理で、板厚も異なっているものであっても、強磁性体製金属板であって目的を達する仕様であれば、これに限ることはない。